(57)【要約】【課題】  チャンネル（以下「Ｃｈ」という）の選局の負担を軽減する。【解決手段】  選局ボタンによる選局操作に応じた（Ｓ１０２でＹ）所望Ｃｈが選局され（Ｓ１０３）、選局から所定時間経過時に異なるＣｈへの選局がないことを条件に所望Ｃｈへ選局された順番を特定可能な履歴リストとして所望ＣｈのＣｈ情報が記憶される（Ｓ１０９）一方、選局された所望Ｃｈが既記憶Ｃｈのときは所望のＣｈのＣｈ情報が最後の順番で履歴リストに新たに記憶される（Ｓ１０９）とともに既記憶ＣｈのＣｈ情報が履歴リストから削除され（Ｓ１０８）、履歴ボタンによる履歴選局操作に応じて（Ｓ１０１でＹ）前回選局ＣｈのＣｈ情報の順番の時間的に１つ前の順番として記憶されているＣｈ情報のＣｈが履歴選局される（Ｓ１１０）とともに、履歴選局から予め定められた時間経過後の履歴選局操作受付時は時間的に最後の順番の履歴選局がされ、選局されたＣｈの放送が出力される。【選択図】        図３
2006339961.tif 000002
【特許請求の範囲】
【請求項１】
複数のチャンネルのうちユーザが所望のチャンネルを選局するための選局操作を受付ける選局ボタンと、
前記選局ボタンによって受付けられた選局操作に応じた前記所望のチャンネルを選局する選局制御を行なう選局制御手段と、
前記選局制御手段によって前記選局制御が行なわれてから所定時間経過したときに、前記選局制御手段によって異なるチャンネルへの前記選局制御が行なわれていないことを条件として、前記選局制御手段によって前記所望のチャンネルへの前記選局制御が行なわれた順番を特定可能な履歴リストとして、前記所望のチャンネルを特定可能なチャンネル情報を記憶する一方、前記選局制御手段によって前記選局制御が行なわれた前記所望のチャンネルがすでに記憶している既記憶チャンネルであるときは、前記所望のチャンネルを特定可能なチャンネル情報を最後の順番で前記履歴リストに新たに記憶するとともに、前記既記憶チャンネルのチャンネル情報を前記履歴リストから削除する履歴リスト記憶手段と、
前記履歴リスト記憶手段に記憶された履歴リストで特定される順番に基づいてチャンネルを選局するための履歴選局操作を受付ける履歴ボタンと、
前記履歴ボタンによって受付けられた前記履歴選局操作に応じて、前回選局されたチャンネルを特定するチャンネル情報が前記履歴リスト記憶手段に記憶された順番の時間的に１つ前の順番として前記履歴リスト記憶手段に記憶されているチャンネル情報で特定されるチャンネルを選局する履歴選局制御を行なうとともに、前記履歴選局制御が行なわれてから予め定められた時間経過した後に、前記履歴ボタンによって前記履歴選局操作が受付けられたときは、時間的に最後の順番の前記履歴選局制御を行なう履歴選局制御手段と、
前記選局制御手段または前記履歴選局制御手段によって選局されたチャンネルの放送を出力する出力手段とを備える、放送受像装置。
【請求項２】
複数のチャンネルのうち所望のチャンネルを選局するための選局操作を受付ける選局操作受付手段と、
前記選局操作受付手段によって受付けられた選局操作に応じた前記所望のチャンネルを選局する選局制御を行なう選局制御手段と、
前記選局制御手段によって前記所望のチャンネルへの前記選局制御が行なわれた順番を特定可能なように、前記所望のチャンネルを記憶する順番記憶手段と、
前記順番記憶手段に記憶された順番に基づいてチャンネルを選局するための特定選局操作を受付ける特定選局操作受付手段と、
前記特定選局操作受付手段によって受付けられた前記特定選局操作に応じて、前回選局されたチャンネルが前記順番記憶手段に記憶された順番の時間的に前の順番として前記順番記憶手段に記憶されているチャンネルを選局する特定選局制御を行なう特定選局制御手段とを備える、放送受信装置。
【請求項３】
前記順番記憶手段は、前記所望のチャンネルを、前記所望のチャンネルを特定可能なチャンネル特定情報として記憶する、請求項２に記載の放送受信装置。
【請求項４】
前記順番記憶手段は、前記選局制御手段によって前記選局制御が行なわれてから所定時間経過したときに、前記選局制御手段によって異なるチャンネルへの前記選局制御が行なわれていないことを条件として、前記所望のチャンネルを記憶する、請求項２または請求項３に記載の放送受信装置。
【請求項５】
前記特定選局制御手段は、前記特定選局制御手段によって前記特定選局制御が行なわれてから予め定められた時間経過した後に、前記特定選局操作受付手段によって前記特定選局操作が受付けられたときは、時間的に最後の順番の前記特定選局制御を行なう、請求項２から請求項４までのいずれかに記載の放送受信装置。
【請求項６】
前記順番記憶手段は、前記選局制御手段によって前記選局制御が行なわれたチャンネル、および、前記特定選局制御手段によって前記特定選局制御が行なわれたチャンネルのそれぞれを記憶する、請求項２から請求項５までのいずれかに記載の放送受信装置。
【請求項７】
前記順番記憶手段は、前記選局制御手段によって前記選局制御が行なわれた前記所望のチャンネルがすでに記憶している既記憶チャンネルであるときは、前記所望のチャンネルを最後の順番で新たに記憶するとともに、前記既記憶チャンネルを削除する、請求項２から請求項６までのいずれかに記載の放送受信装置。
【請求項８】
放送受信装置でチャンネルを選局するチャンネル選局方法であって、
複数のチャンネルのうち所望のチャンネルを選局するための選局操作を受付けるステップと、
受付けられた選局操作に応じた前記所望のチャンネルを選局する選局制御を行なうステップと、
前記所望のチャンネルへの前記選局制御が行なわれた順番を特定可能なように、前記所望のチャンネルを記憶するステップと、
記憶された順番に基づいてチャンネルを選局するための特定選局操作を受付けるステップと、
受付けられた前記特定選局操作に応じて、前回選局されたチャンネルが記憶された順番の時間的に前の順番として記憶されているチャンネルを選局する特定選局制御を行なうステップとを含む、チャンネル選局方法。
【請求項９】
複数のチャンネルのうち所望のチャンネルを選局するための選局操作を受付けるステップと、
受付けられた選局操作に応じた前記所望のチャンネルを選局する選局制御を行なうステップと、
前記所望のチャンネルへの前記選局制御が行なわれた順番を特定可能なように、前記所望のチャンネルを記憶するステップと、
記憶された順番に基づいてチャンネルを選局するための特定選局操作を受付けるステップと、
受付けられた前記特定選局操作に応じて、前回選局されたチャンネルが記憶された順番の時間的に前の順番として記憶されているチャンネルを選局する特定選局制御を行なうステップとを放送受信装置に実行させるチャンネル選局プログラム。
【請求項１０】
請求項２から請求項７までのいずれかに記載の放送受信装置と、前記選局制御手段または前記特定選局制御手段によって選局されたチャンネルの放送を出力する出力手段とを備える、放送受像装置。
【発明の詳細な説明】
【技術分野】
【０００１】
本発明は、放送受像装置、放送受信装置、チャンネル選局方法、および、チャンネル選局プログラムに関し、特に、所望のチャンネルを選局するのに適した放送受像装置、放送受信装置、チャンネル選局方法、および、チャンネル選局プログラムに関する。
【背景技術】
【０００２】
従来から、リモコンやテレビ本体の選局ボタンを操作することによって、テレビ放送のチャンネルの選局が行なわれている。
【０００３】
特許文献１には、蓄積した過去のチャンネル履歴の情報と、現在時刻情報により、現在時刻に提供可能でこの時間帯によく視聴している番組に類似する番組を複数選び出し、類似性の高いものから順次お勧め番組として、その番組を放送しているチャンネルに切替えてお勧め番組を出力する番組選択制御装置が開示されている（たとえば、特許文献１の第００１６段落参照）。
【０００４】
特許文献２には、操作者が最も頻繁に視聴しているチャンネルの専用選局ボタンをもつ番組表を作成し表示する情報受信装置が開示されている（たとえば、特許文献２の第００２９段落参照）。
【０００５】
特許文献３には、受信した放送波に含まれるヘッダ情報を検知して、該ヘッダ情報に基づいて、放送中のすべてのチャンネルを認識し、これらのチャンネルの選局順序を所定の規則に従って並べ替え、ユーザによって選局操作が行なわれると、並べ替え後の選局順序に従って順番にチャンネルを選択し、選択したチャンネルのヘッダ情報に基づいて、選択したチャンネルの放送データを抽出し、後段回路へ出力するデジタル放送受信機が開示されている（たとえば、特許文献３の第００１２段落参照）。
【０００６】
特許文献４には、リモコンキーを操作したときに得られるキー圧力に対応した抵抗値に基づいてキー操作者を判別するとともに、当該キー操作者に対する受信履歴情報を特定し、受信履歴情報に含まれる登録された受信時間帯が到来したときには、その受信時間帯に登録されている受信チャンネルを自動受信する自動受信方法およびテレビ受像機が開示されている（たとえば、特許文献４の第００４２段落参照）。
【０００７】
特許文献５には、視聴番組データをメモリより読出し、視聴履歴一覧としてＯＳＤによりＴＶ画面上に、放送時間の昇順または番組名の五十音順で表示するデジタル放送受信機が開示されている（たとえば、特許文献５の第００３９段落参照）。
【特許文献１】特開２０００−１０１９４１号公報
【特許文献２】特開２０００−２２４５０９号公報
【特許文献３】特開２０００−３４９６７２号公報
【特許文献４】特開２００２−２９０７６５号公報
【特許文献５】特開平１０−３０４２６７号公報
【発明の開示】
【発明が解決しようとする課題】
【０００８】
しかし、アメリカでは従来からテレビ放送のチャンネル数が増加している。近年、国内でも、地上波デジタル放送が開始されたこともあって、従来からの衛星デジタル放送に加えて、テレビ放送のチャンネル数がますます増加している。このため、ユーザは多くのチャンネルのうちから所望のチャンネルを探す必要があり、チャンネルの選択に負担が掛かるといった問題がさらに深刻となってきている。
【０００９】
また、特許文献１に記載されている番組選択制御装置、特許文献２に記載されている情報受信装置、特許文献３に記載されているデジタル放送受信機、および、特許文献４に記載されている自動受信方法やテレビ受像機によれば、類似する番組を選んだり、頻繁に視聴しているチャンネルを選び出したり、ヘッダ情報を認識したり、操作者、曜日、時間ごとに受信履歴情報を記録したりする必要があるため、処理が複雑となり、チャンネル数の増加に伴って、処理が複雑である分、処理に要する時間が増加するため、よく視聴するチャンネルを容易に選局することができなくなり、ユーザのチャンネルの選局の負担が増加するといった問題があった。
【００１０】
また、特許文献５に記載されているデジタル放送受信機によれば、視聴履歴一覧を表示することは可能である。しかし、チャンネルの選択を容易にすることについては考慮されていなかった。
【００１１】
この発明は上述の問題点を解決するためになされたもので、この発明の目的の１つは、ユーザのチャンネルの選局の負担を軽減することが可能な放送受像装置、放送受信装置、チャンネル選局方法、および、チャンネル選局プログラムを提供することである。
【課題を解決するための手段】
【００１２】
上述した課題を解決するために、この発明のある局面に従えば、放送受信装置は、選局操作受付部と、選局制御部と、順番記憶部と、特定選局操作受付部と、特定選局制御部とを備える。
【００１３】
選局操作受付部は、複数のチャンネルのうち所望のチャンネルを選局するための選局操作を受付ける。選局制御部は、選局操作受付部によって受付けられた選局操作に応じた所望のチャンネルを選局する選局制御を行なう。順番記憶部は、選局制御部によって所望のチャンネルへの選局制御が行なわれた順番を特定可能なように、所望のチャンネルを記憶する。特定選局操作受付部は、順番記憶部に記憶された順番に基づいてチャンネルを選局するための特定選局操作を受付ける。特定選局制御部は、特定選局操作受付部によって受付けられた特定選局操作に応じて、前回選局されたチャンネルが順番記憶部に記憶された順番の時間的に前の順番として順番記憶部に記憶されているチャンネルを選局する特定選局制御を行なう。
【００１４】
好ましくは、順番記憶部は、所望のチャンネルを、所望のチャンネルを特定可能なチャンネル特定情報として記憶する。
【００１５】
好ましくは、順番記憶部は、選局制御部によって選局制御が行なわれてから所定時間経過したときに、選局制御部によって異なるチャンネルへの選局制御が行なわれていないことを条件として、所望のチャンネルを記憶する。
【００１６】
好ましくは、特定選局制御部は、特定選局制御部によって特定選局制御が行なわれてから予め定められた時間経過した後に、特定選局操作受付部によって特定選局操作が受付けられたときは、時間的に最後の順番の特定選局制御を行なう。
【００１７】
好ましくは、順番記憶部は、選局制御部によって選局制御が行なわれたチャンネル、および、特定選局制御部によって特定選局制御が行なわれたチャンネルのそれぞれを記憶する。
【００１８】
好ましくは、順番記憶部は、選局制御部によって選局制御が行なわれた所望のチャンネルがすでに記憶している既記憶チャンネルであるときは、所望のチャンネルを最後の順番で新たに記憶するとともに、既記憶チャンネルを削除する。
【００１９】
この発明の他の局面によれば、チャンネル選局方法は、放送受信装置でチャンネルを選局する方法であって、複数のチャンネルのうち所望のチャンネルを選局するための選局操作を受付けるステップと、受付けられた選局操作に応じた所望のチャンネルを選局する選局制御を行なうステップと、所望のチャンネルへの選局制御が行なわれた順番を特定可能なように、所望のチャンネルを記憶するステップと、記憶された順番に基づいてチャンネルを選局するための特定選局操作を受付けるステップと、受付けられた特定選局操作に応じて、前回選局されたチャンネルが記憶された順番の時間的に前の順番として記憶されているチャンネルを選局する特定選局制御を行なうステップとを含む。
【００２０】
この発明のさらに他の局面によれば、チャンネル選局プログラムは、複数のチャンネルのうち所望のチャンネルを選局するための選局操作を受付けるステップと、受付けられた選局操作に応じた所望のチャンネルを選局する選局制御を行なうステップと、所望のチャンネルへの選局制御が行なわれた順番を特定可能なように、所望のチャンネルを記憶するステップと、記憶された順番に基づいてチャンネルを選局するための特定選局操作を受付けるステップと、受付けられた特定選局操作に応じて、前回選局されたチャンネルが記憶された順番の時間的に前の順番として記憶されているチャンネルを選局する特定選局制御を行なうステップとを放送受信装置に実行させる。
【００２１】
この発明のさらに他の局面によれば、放送受像装置は、上述した放送受信装置と、選局制御部または特定選局制御部によって選局されたチャンネルの放送を出力する出力部とを備える。
【００２２】
好ましくは、選局操作受付部は、選局ボタンであり、順番記憶部は、履歴リスト記憶部であり、特定選局操作受付部は、履歴ボタンであり、特定選局操作は、履歴選局操作であり、特定選局制御は、履歴選局制御である。
【００２３】
また、履歴リスト記憶部は、選局制御部によって選局制御が行なわれてから所定時間経過したときに、選局制御部によって異なるチャンネルへの選局制御が行なわれていないことを条件として、選局制御部によって所望のチャンネルへの選局制御が行なわれた順番を特定可能な履歴リストとして、所望のチャンネルを特定可能なチャンネル情報を記憶する一方、選局制御部によって選局制御が行なわれた所望のチャンネルがすでに記憶している既記憶チャンネルであるときは、所望のチャンネルを特定可能なチャンネル情報を最後の順番で履歴リストに新たに記憶するとともに、既記憶チャンネルのチャンネル情報を履歴リストから削除する。
【発明の効果】
【００２４】
この発明に従えば、放送受信装置によって、複数のチャンネルのうち所望のチャンネルを選局するための選局操作が受付けられ、受付けられた選局操作に応じた所望のチャンネルを選局する選局制御が行なわれ、所望のチャンネルへの選局制御が行なわれた順番を特定可能なように、所望のチャンネルが記憶される。
【００２５】
また、記憶された順番に基づいてチャンネルを選局するための特定選局操作が受付けられ、受付けられた特定選局操作に応じて、前回選局されたチャンネルが記憶された順番の時間的に前の順番として記憶されているチャンネルを選局する特定選局制御が行なわれる。
【００２６】
このため、特定選局操作が受付けられるごとに、選局制御が行なわれたチャンネルが選局制御された順番に従って時間的に前の順番のチャンネルが選局される。その結果、過去に選局したチャンネルを容易に選局することができるので、ユーザのチャンネルの選局の負担を軽減することが可能な放送受信装置を提供できる。
【００２７】
また、放送受信装置によって、選局制御が行なわれてから所定時間経過したときに、異なるチャンネルへの選局制御が行なわれていないことを条件として、所望のチャンネルが記憶される。
【００２８】
このため、所定時間の間、異なるチャンネルへ切替えられなかった所望のチャンネルを記憶することができる。その結果、ユーザが所定時間以上チャンネルを切替えずにそのままにしていた興味のあるチャンネルのみを記憶させることができる。
【００２９】
また、放送受信装置によって、特定選局制御が行なわれてから予め定められた時間経過した後に、特定選局操作が受付けられたときは、時間的に最後の順番として記憶されているチャンネルが選局される。
【００３０】
このため、ユーザが予め定められた時間以上、特定選局操作によって選局したチャンネルを切替えずにそのままにしていたときは、改めて、時間的に最後の順番として記憶されたチャンネルから順番に特定選局操作をすることができる。
【００３１】
また、放送受信装置によって、選局制御が行なわれたチャンネル、および、特定選局制御が行なわれたチャンネルのそれぞれが、記憶された順番を特定可能なように記憶される。
【００３２】
このため、特定選局操作が受付けられるごとに、選局制御が行なわれたチャンネルだけでなく、特定選局制御が行なわれたチャンネルも含めて時間的に前の順番のチャンネルが選局される。その結果、特定選局操作によって選局されたチャンネルも含めて過去に選局したチャンネルを容易に選局することができるので、ユーザのチャンネルの選局の負担をさらに軽減することができる。
【００３３】
また、放送受信装置によって、選局制御が行なわれた所望のチャンネルがすでに記憶されている既記憶チャンネルであるときは、所望のチャンネルが最後の順番で新たに記憶されるとともに、既記憶チャンネルが削除される。
【００３４】
このため、既に記憶されたチャンネルであっても、選局制御が行なわれたときは、最後の順番で新たに記憶されるので、よく選局される順番に所望のチャンネルを記憶させることができる。その結果、過去に選局したチャンネルをよく選局される順番に選局することができるので、ユーザのチャンネルの選局の負担をさらに軽減することができる。
【００３５】
また、チャンネル選局方法によって、複数のチャンネルのうち所望のチャンネルを選局するための選局操作が受付けられ、受付けられた選局操作に応じた所望のチャンネルを選局する選局制御が行なわれ、所望のチャンネルへの選局制御が行なわれた順番を特定可能なように、所望のチャンネルが記憶される。
【００３６】
また、記憶された順番に基づいてチャンネルを選局するための特定選局操作が受付けられ、受付けられた特定選局操作に応じて、前回選局されたチャンネルが記憶された順番の時間的に前の順番として記憶されているチャンネルを選局する特定選局制御が行なわれる。
【００３７】
このため、特定選局操作が受付けられるごとに、選局制御が行なわれたチャンネルが選局制御された順番に従って時間的に前の順番のチャンネルが選局される。その結果、過去に選局したチャンネルを容易に選局することができるので、ユーザのチャンネルの選局の負担を軽減することが可能なチャンネル選局方法を提供できる。
【００３８】
また、チャンネル選局プログラムによって、複数のチャンネルのうち所望のチャンネルを選局するための選局操作が受付けられ、受付けられた選局操作に応じた所望のチャンネルを選局する選局制御が行なわれ、所望のチャンネルへの選局制御が行なわれた順番を特定可能なように、所望のチャンネルが記憶される。
【００３９】
また、記憶された順番に基づいてチャンネルを選局するための特定選局操作が受付けられ、受付けられた特定選局操作に応じて、前回選局されたチャンネルが記憶された順番の時間的に前の順番として記憶されているチャンネルを選局する特定選局制御が行なわれる。
【００４０】
このため、特定選局操作が受付けられるごとに、選局制御が行なわれたチャンネルが選局制御された順番に従って時間的に前の順番のチャンネルが選局される。その結果、過去に選局したチャンネルを容易に選局することができるので、ユーザのチャンネルの選局の負担を軽減することが可能なチャンネル選局プログラムを提供できる。
【００４１】
また、放送受像装置によって、上述した放送受信装置によって選局されたチャンネルの放送を出力する。
【００４２】
このため、過去に選局したチャンネルを容易に選局することができるので、ユーザのチャンネルの選局の負担を軽減することが可能な放送受像装置を提供することができる。
【発明を実施するための最良の形態】
【００４３】
以下、この発明の実施の形態について、図面を参照しながら詳細に説明する。なお、図中の同一または相当部分については、同一符号を付してその説明は繰返さない。
【００４４】
［第１実施形態］
図１は、この発明の第１実施形態に従う放送受像装置１００の概略構成図である。
【００４５】
図１を参照して、この発明の第１実施形態に従う放送受像装置１００は、アンテナ３０から放送信号を受信し、リモコン４２から指令信号を受信し、モニタ４００から映像信号および音声信号を出力する。
【００４６】
アンテナ３０は、放送局から電波で送信されてくる放送信号を受信し、放送受像装置１００に供給する。
【００４７】
リモコン４２は、ユーザから所望の操作を受付けて、ユーザによる操作に応じた操作信号を赤外線で放送受像装置１００に送信する。なお、リモコン４２から出力されるのは、赤外線の操作信号に限定されず、無線の操作信号であってもよい。また、リモコン４２およびリモコン受信部２６に替えて、または、リモコン４２およびリモコン受信部２６とともに、放送受像装置１００の本体に、ユーザからの操作を受付けて、操作信号を制御部１０に出力する操作受付部を設けるようにしてもよい。
【００４８】
放送受像装置１００は、制御部１０と、チューナ１６と、復調部１８と、デコーダ２２と、リモコン受信部２６と、モニタ４００とを含む。
【００４９】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００５０】
チューナ１６は、受信した放送信号の中から、制御部１０からの指令に応じて選択されたチャンネルに対応する放送信号を抽出する。そして、チューナ１６は、抽出した放送信号を復調部１８へ出力する。
【００５１】
復調部１８は、チューナ１６から放送信号を受けて、放送信号を映像および音声がデジタル符号化されたＭＰＥＧ−２ＴＳ（Moving Picture Experts Group phase 2 Transport Stream）信号に復調し、ＭＰＥＧ−２ＴＳ信号をデコーダ２２へ出力する。
【００５２】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。このとき、復調部１８は、受信した放送信号に含まれる所定のデータ数毎に誤り訂正を行うので、受信開始から１フレーム（１／３０秒）以内で受信データ誤り率の演算ができる。制御部１０は、受信データ誤り率によって、放送信号の信号レベルを判断することができる。
【００５３】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の第１実施形態における復調部１８は、上述のいずれの方式を用いてもよい。
【００５４】
デコーダ２２は、復調部１８から受けたＭＰＥＧ−２ＴＳ信号を映像信号および音声信号に復号する。そして、デコーダ２２は、復号された映像信号および音声信号をモニタ４００へ出力する。
【００５５】
モニタ４００は、デコーダ２２からの映像信号および音声信号をそれぞれ映像および音声に変換して、変換された映像および音声をユーザが視聴可能なようにする。
【００５６】
リモコン受信部２６は、リモコン４２からの操作信号を受信して、受信した操作信号を制御部１０へ出力する。
【００５７】
制御部１０は、リモコン受信部２６から受信した操作信号に応じて、チューナ１６、復調部１８、および、デコーダ２２を制御する。
【００５８】
図２は、この発明の第１実施形態に従う放送受像装置１００のリモコン４２の概略図である。
【００５９】
図２を参照して、リモコン４２は、ユーザからの操作を受付ける操作受付部として、電源ボタン４２１、チャンネル選局ボタン４２２、音量ＵＰボタン４２３、音量ＤＯＷＮボタン４２４、履歴ボタン４２５、チャンネルＵＰボタン４２６、および、チャンネルＤＯＷＮボタン４２７を含む。
【００６０】
電源ボタン４２１は、放送受像装置１００の電源の入り切りを切替える操作を受付けるための操作受付部である。
【００６１】
「１」から「１２」までのチャンネル選局ボタン４２２は、ユーザが所望するチャンネルを選局するための選局操作を受付けるための操作受付部である。
【００６２】
音量ＵＰボタン４２３、および、音量ＤＯＷＮボタン４２４は、それぞれ、モニタ４００から出力される音量を増加および減少させるための操作を受付けるための操作受付部である。
【００６３】
履歴ボタン４２５は、後述する履歴リストで特定されるチャンネルの順番に基づいてチャンネルを選局する履歴選局操作を受付けるための操作受付部である。
【００６４】
チャンネルＵＰボタン４２６、および、チャンネルＤＯＷＮボタン４２７は、それぞれ、チャンネルを昇順方向および降順方向に１つずつ切替えて選局するための選局操作を受付けるための操作受付部である。
【００６５】
図３は、この発明の第１実施形態に従う選局処理の流れを示すフローチャートである。
図３を参照して、まず、ステップＳ１０１で、ＣＰＵ１０Ａは、リモコン４２の履歴ボタン４２５が操作される履歴選局操作が行なわれたことを示す履歴選局操作信号をリモコン受信部２６から受信したか否かを判断する。つまり、ユーザによって選局操作が行なわれたか否かを判断する。履歴選局操作信号を受信したと判断した場合（ステップＳ１０１でＹＥＳの場合）、ステップＳ１１０で、ＣＰＵ１０Ａは、後述する履歴ボタン処理を実行する。
【００６６】
一方、履歴選局操作信号を受信していないと判断した場合（ステップＳ１０１でＮＯの場合）、ステップＳ１０２で、ＣＰＵ１０Ａは、リモコン４２の選局ボタン４２２、チャンネルＵＰボタン４２６、または、チャンネルＤＯＷＮボタン４２７が操作された選局操作が行なわれたことを示す選局操作信号をリモコン受信部２６から受信したか否かを判断する。選局操作信号を受信していないと判断した場合（ステップＳ１０２でＮＯの場合）、ＣＰＵ１０Ａは、実行する処理をこの選局処理の呼出元の処理に戻す。
【００６７】
一方、選局操作信号を受信したと判断した場合（ステップＳ１０２でＹＥＳの場合）、ステップＳ１０３で、ＣＰＵ１０Ａは、選局操作信号に応じたチャンネルを選局するように、チューナ１６を制御する選局制御を行なう。
【００６８】
次に、ステップＳ１０４で、ＣＰＵ１０Ａは、復調部１８からの信号に基づいて、チューナ１６で選局されたチャンネルに放送信号があるか否かを判断する。つまり、チューナ１６から復調部１８に出力された信号にＭＰＥＧ−２ＴＳ信号が含まれているか否かを判断する。放送信号がないと判断した場合（ステップＳ１０４でＮＯの場合）、ＣＰＵ１０Ａは、実行する処理をこの選局処理の呼出元の処理に戻す。
【００６９】
一方、放送信号があると判断した場合（ステップＳ１０４でＹＥＳの場合）、ステップＳ１０５で、ＣＰＵ１０Ａは、ステップＳ１０３で選局制御されたチャンネルを示すチャンネル情報をすでに履歴リストに記憶済みであるか否かを判断する。
【００７０】
【表１】
2006339961.tif 000003
【００７１】
表１は、履歴リストの一例を示す表である。表１を参照して、履歴リストは、メモリ１０Ｂに記憶される。ここでは、履歴リストには、１０チャンネル、４チャンネル、８チャンネル、および、６チャンネルを示すチャンネル情報が記憶される。そして、この履歴リストによって、履歴リストにチャンネル情報が記憶された順番が、最後のものから順番に、１０チャンネル、４チャンネル、８チャンネル、６チャンネルの順であることが示される。このように、各チャンネル情報が履歴リストに記憶された順番が特定可能であるように、チャンネル情報が記憶される。
【００７２】
なお、ここでは、便宜的に表形式で履歴リストを示した。しかし、チャンネル情報が、メモリ１０Ｂの連続した記憶領域に記憶されるようにしてもよい。また、前後のチャンネル情報が記憶されているメモリ１０Ｂの記憶領域を特定可能なポインタ情報を各チャンネル情報に対応させて記憶するリスト構造として、チャンネル情報が記憶されるようにしてもよい。
【００７３】
たとえば、ステップＳ１０３で８チャンネルに選局制御された場合は、表１の履歴リストに８チャンネルを示すチャンネル情報がすでに記憶済みであると判断される。また、ステップＳ１０３で２チャンネルに選局制御された場合は、表１の履歴リストに２チャンネルを示すチャンネル情報が記憶済みでないと判断される。
【００７４】
すでに履歴リストに記憶済みであると判断した場合（ステップＳ１０５でＹＥＳの場合）、ステップＳ１０６で、ＣＰＵ１０Ａは、履歴リストから当該記憶済みのチャンネル情報を削除する。
【００７５】
一方、履歴リストに記憶済みでないと判断した場合（ステップＳ１０５でＮＯの場合）、または、ステップＳ１０６の後、ステップＳ１０７で、ＣＰＵ１０Ａは、記憶済みのチャンネル情報の数である記憶済チャンネル数が、メモリ１０Ｂのチャンネル情報を記憶する記憶領域に記憶可能なチャンネル情報の最大の数である最大記憶チャンネル数に達しているか否かを判断する。
【００７６】
記憶済チャンネル数が最大記憶チャンネル数に達していると判断した場合（ステップＳ１０７でＹＥＳの場合）、ステップＳ１０８で、ＣＰＵ１０Ａは、履歴リストに一番最初に記憶されたチャンネル情報を削除する。
【００７７】
一方、記憶済チャンネル数が最大記憶チャンネル数に達していないと判断した場合（ステップＳ１０７でＮＯの場合）、または、ステップＳ１０８の後、ステップＳ１０９で、ＣＰＵ１０Ａは、履歴リストに一番最後に記憶されたチャンネル情報（表１で先頭（１番上の欄））として当該チャンネル情報を記憶させる。その後、ＣＰＵ１０Ａは、実行する処理をこの選局処理の呼出元の処理に戻す。
【００７８】
たとえば、ステップＳ１０３で８チャンネルに選局制御された場合、ステップＳ１０５で、表１の履歴リストに８チャンネルが記憶済みであると判断されるので、ステップＳ１０６で８チャンネルを示すチャンネル情報（表１で先頭から３番目の欄）が削除され、記憶済チャンネル数が３になる。本実施の形態においては、最大記憶チャンネル数は、４であるので、ステップＳ１０７で、記憶済チャンネル数が最大記憶チャンネル数に達していないと判断され、ステップＳ１０９で、履歴リストの先頭に８チャンネルを示すチャンネル情報が追加される。
【００７９】
【表２】
2006339961.tif 000004
【００８０】
表２は、表１の履歴リストから８チャンネルが選局制御された後の履歴リストを示す表である。表２を参照して、１０チャンネル、４チャンネル、８チャンネル、６チャンネルの順番であることを示していた表１の履歴リストが、８チャンネルが選局制御された結果、８チャンネル、１０チャンネル、４チャンネル、６チャンネルの順番を示す履歴リストに変更される。
【００８１】
図４は、この発明の第１実施形態に従う選局処理のサブルーチンである履歴ボタン処理の流れを示すフローチャートである。履歴ボタン処理は、図３のステップＳ１１０で実行される処理である。
【００８２】
図４を参照して、まず、ステップＳ１１１で、ＣＰＵ１０Ａは、履歴ボタン４２５が操作される履歴選局操作が行なわれたことを示す履歴選局操作信号の前回の受信から時間Ｔ1が経過したか否かを判断する。つまり、前回履歴ボタン４２５が操作されてから時間Ｔ1が経過したか否かを判断する。時間Ｔ1は、１分未満の秒オーダーの時間であり、たとえば、５秒から１０秒程度の時間である。
【００８３】
前回操作から時間Ｔ1が経過したと判断した場合（ステップＳ１１１でＹＥＳの場合）、ステップＳ１１２で、ＣＰＵ１０Ａは、初期化フラグの値を１にする。初期化フラグは、履歴選局操作信号が前回受信されてから時間Ｔ1が経過したか否かを示すフラグであって、時間Ｔ1が経過した場合、値が１とされ、時間Ｔ1が経過していない場合、値が０とされる。
【００８４】
一方、前回操作から時間Ｔ1が経過していないと判断した場合（ステップＳ１１１でＮＯの場合）、または、ステップＳ１１２の後、ステップＳ１１３で、ＣＰＵ１０Ａは、初期化フラグの値が０であるか１であるかを判断する。
【００８５】
初期化フラグの値が０であると判断した場合（ステップＳ１１３で０の場合）、ステップＳ１１４で、ＣＰＵ１０Ａは、Ｎの値を１加算する。Ｎは、現在、履歴リストのＮ番目のチャンネル情報のチャンネルが選局されていることを示す変数である。一方、初期化フラグの値が１であると判断した場合（ステップＳ１１３で１の場合）、ステップＳ１１５で、ＣＰＵ１０Ａは、Ｎの値を１とする。ステップＳ１１４、または、ステップＳ１１５の後、ＣＰＵ１０Ａは、実行する処理をステップＳ１１６に進める。
【００８６】
ステップＳ１１６では、ＣＰＵ１０Ａは、Ｎの値が、図３のステップＳ１１７で説明した記憶済チャンネル数以上となったか否かを判断する。Ｎの値が記憶済チャンネル数以上となったと判断した場合（ステップＳ１１６でＹＥＳの場合）、ステップＳ１１７で、ＣＰＵ１０Ａは、Ｎの値を１とする。
【００８７】
一方、Ｎの値が記憶済チャンネル数以上となっていないと判断した場合（ステップＳ１１６でＮＯの場合）、または、ステップＳ１１７の後、ステップＳ１１８で、ＣＰＵ１０Ａは、初期化フラグの値を０とする。
【００８８】
次に、ステップＳ１１９で、ＣＰＵ１０Ａは、履歴リストのＮ番目のチャンネル情報で示されるチャンネルを選局するように、チューナ１６の選局制御を行なう。その後、ＣＰＵ１０Ａは、実行する処理を、この履歴ボタン処理の呼出元の選局処理に戻す。
【００８９】
以上説明したように、第１実施形態における放送受像装置１００によれば、複数のチャンネルのうちユーザが所望するチャンネルを選局するための選局操作が受付けられ、受付けられた選局操作に応じた所望のチャンネルを選局する選局制御が行なわれ、所望のチャンネルへの選局制御が行なわれた順番を特定可能な履歴リストとして、所望のチャンネルが記憶される。
【００９０】
また、記憶された順番に基づいてチャンネルを選局するための履歴選局操作が受付けられ、受付けられた履歴選局操作に応じて、前回選局されたチャンネルを示すチャンネル情報が履歴リストに記憶された順番の時間的に１つ前の順番として記憶されているチャンネル情報で示されるチャンネルを選局する履歴選局制御が行なわれる。
【００９１】
これによって、履歴選局操作が受付けられるごとに、選局制御が行なわれたチャンネルが選局制御された順番に従って時間的に前の順番のチャンネルが選局される。その結果、過去に選局したチャンネルを容易に選局することができるので、ユーザのチャンネルの選局の負担を軽減することができる。
【００９２】
また、放送受像装置１００によって、履歴選局制御が行なわれてから時間Ｔ1経過した後に、履歴選局操作が受付けられたときは、時間的に最後の順番として履歴リストに記憶されている先頭のチャンネル情報で示されるチャンネル情報で示されるチャンネルが選局される。
【００９３】
これによって、ユーザが時間Ｔ1以上、履歴選局操作によって選局したチャンネルを切替えずにそのままにしていたときは、改めて、時間的に最後の順番として記憶された履歴リストの先頭のチャンネル情報で示されるチャンネルから順番に履歴選局操作をすることができる。
【００９４】
また、放送受像装置１００によって、選局制御が行なわれたユーザが所望するチャンネルがすでに履歴リストに記憶されているチャンネル情報が示す既記憶チャンネルであるときは、所望のチャンネルが履歴リストの先頭に新たに記憶されるとともに、既記憶チャンネルを示すチャンネル情報が削除される。
【００９５】
これによって、既に履歴リストに記憶されたチャンネルであっても、選局制御が行なわれたときは、履歴リストの先頭に新たに記憶されるので、よく選局される順番に所望のチャンネルを記憶させることができる。その結果、過去に選局したチャンネルをよく選局される順番に選局することができるので、ユーザのチャンネルの選局の負担をさらに軽減することができる。
【００９６】
［第２実施形態］
次に、本発明の第２実施形態を説明する。第２実施形態は、第１実施形態の選局処理を変形したものである。したがって、変形した選局処理について説明する。
【００９７】
図５は、この発明の第２実施形態に従う選局処理の流れを示すフローチャートである。
図５を参照して、ステップＳ１０１、ステップＳ１１０、ステップＳ１０２、および、ステップＳ１０３の処理および処理の流れは、図３で説明した第１実施形態の選局処理と同様であるので、説明は繰返さない。
【００９８】
ステップＳ１０２において、選局操作信号を受信していないと判断した場合（ＮＯの場合）、ステップＳ１２１で、ＣＰＵ１０Ａは、前回、選局操作信号を受信してから時間Ｔ2が経過したか否かを判断する。つまり、前回、ユーザによって選局ボタン４２２、チャンネルＵＰボタン４２６、または、チャンネルＤＯＷＮボタン４２７が操作された選局操作が行なわれてから時間Ｔ2が経過したか否かを判断する。時間Ｔ2は、ユーザがそのチャンネルに興味があるか否かを見分けることが可能な分オーダーの時間であり、たとえば、５分から１０分程度の時間である。
【００９９】
前回選局操作が行なわれてから時間Ｔ2が経過していないと判断した場合（ステップＳ１２１でＮＯの場合）、ＣＰＵ１０Ａは、実行する処理をこの選局処理の呼出元の処理に戻す。一方、前回選局操作が行なわれてから時間Ｔ2が経過したと判断した場合（ステップＳ１２１でＹＥＳの場合）、ＣＰＵ１０Ａは、実行する処理をステップＳ１０４に進める。
【０１００】
なお、ステップＳ１２１で、前回、選局操作信号を受信してから時間Ｔ2が経過したか否かを判断するだけでなく、選局操作信号または履歴選局操作信号を受信してから時間Ｔ2が経過したか否かを判断するようにしてもよい。つまり、前回、ユーザによって選局ボタン４２２、チャンネルＵＰボタン４２６、チャンネルＤＯＷＮボタン４２７、または、履歴ボタン４２５が操作されてから時間Ｔ2が経過したか否かを判断するようにしてもよい。
【０１０１】
ステップＳ１０４からステップＳ１０９までの処理および処理の流れは、図３で説明した第１実施形態の選局処理と同様であるので、説明は繰返さない。
【０１０２】
なお、前回と同じチャンネルを選局する選局操作があった場合には、前回の選局操作が行なわれてからの時間をリセットせずに、そのまま継続してカウントするようにしてもよい。このようにすれば、前回と同じチャンネルが選局された場合には、ユーザが他のチャンネルに切替える意思がない、つまり、その同じチャンネルに興味をもっていることとみなして、同じチャンネルが選局されてからの経過時間を前回選局制御が行なわれてから経過した時間に含めることができるので、前回と同じチャンネルが選局されるまでの経過時間が時間Ｔ2に達していなくても、同じチャンネルが選局されてからの経過時間を前回と同じチャンネルが選局されるまでの経過時間に加えた時間が時間Ｔ2に達していれば、履歴リストにそのチャンネルが追加される。
【０１０３】
以上説明したように、第２実施形態の放送受像装置１００によれば、選局制御が行なわれてから時間Ｔ2が経過したときに、選局制御が行なわれていないことを条件として、ユーザが所望するチャンネルが履歴リストに記憶される。
【０１０４】
これによって、時間Ｔ2の間、切替えられなかった所望のチャンネルを履歴リストに記憶することができる。その結果、ユーザが時間Ｔ2以上チャンネルを切替えずにそのままにしていた興味のあるチャンネルのみを記憶させることができる。
【０１０５】
［第３実施形態］
次に、本発明の第３実施形態を説明する。第３実施形態は、第１実施形態に従う放送受像装置１００からモニタ４００を除いた構成の放送受信装置１に関するものである。
【０１０６】
図６は、この発明の第３実施形態に従う放送受信装置１の概略構成図である。
図６を参照して、第３実施形態に従う放送受信装置１は、第１実施形態に従う放送受像装置１００からモニタ４００を除いた構成である。つまり、放送受信装置１は、制御部１０と、チューナ１６と、復調部１８と、デコーダ２２Ａと、リモコン受信部２６とを含む。
【０１０７】
デコーダ２２Ａは、復調部１８から受けたＭＰＥＧ−２ＴＳ信号を映像信号および音声信号に復号する。そして、デコーダ２２Ａは、復号された映像信号および音声信号を外部のモニタ４０に出力する。
【０１０８】
モニタ４０は、放送受信装置１から出力された映像信号および音声信号をそれぞれ映像および音声に変換して、変換された映像および音声をユーザが視聴可能なようにする。
【０１０９】
以上説明したように、第３実施形態における放送受信装置１によれば、第１実施形態で説明した放送受像装置１００と同様の効果が得られる。
【０１１０】
なお、前述した図３、図４、および、図５で説明したそれぞれの処理において、それぞれのステップは、後のステップに不都合が生じない限り、それぞれのステップの順序を前後入替えることができる。
【０１１１】
また、前述した第３実施形態における放送受信装置１を含む、受信した放送を録画する放送録画装置、または、受信した放送を出力したり録画したりする放送受像録画装置として発明を捉えることができる。
【０１１２】
また、前述した第１実施形態から第３実施形態までにおいては、それぞれ、放送受像装置１００および放送受信装置１について説明した。しかし、図３または図５、および、図４で説明した処理を放送受像装置１００または放送受信装置１で実行するチャンネル切替方法、または、チャンネル切替プログラムとして発明を捉えることができる。
【０１１３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１１４】
【図１】この発明の第１実施形態に従う放送受像装置の概略構成図である。
【図２】この発明の第１実施形態に従う放送受像装置のリモコンの概略図である。
【図３】この発明の第１実施形態に従う選局処理の流れを示すフローチャートである。
【図４】この発明の第１実施形態に従う選局処理のサブルーチンである履歴ボタン処理の流れを示すフローチャートである。
【図５】この発明の第２実施形態に従う選局処理の流れを示すフローチャートである。
【図６】この発明の第３実施形態に従う放送受信装置の概略構成図である。
【符号の説明】
【０１１５】
１  放送受信装置、１０  制御部、１０Ａ  ＣＰＵ、１０Ｂ  メモリ、１６  チューナ、１８  復調部、２２，２２Ａ  デコーダ、２６  リモコン受信部、３０  アンテナ、４０  モニタ、４２  リモコン、１００  放送受像装置、４００  モニタ、４２１  電源ボタン、４２２  チャンネル選択ボタン、４２３  音量ＵＰボタン、４２４  音量ＤＯＷＮボタン、４２５  履歴ボタン、４２６  チャンネルＵＰボタン、４２７  チャンネルＤＯＷＮボタン。
【図１】
2006339961.tif 000005
【図２】
2006339961.tif 000006
【図３】
2006339961.tif 000007
【図４】
2006339961.tif 000008
【図５】
2006339961.tif 000009
【図６】
2006339961.tif 000010